(57)【要約】【課題】狭隘な場所においても簡単に足場が組め、使用しない際に邪魔になることのないようにする。【解決手段】足場板１１は、所定の方向に延びる平板状の足場板部２１を有しており、この足場板部２１は上記の所定の方向を回転軸として一対の支持体間に回転可能に保持され、さらに、足場板部２１は、少なくとも水平面に対して平行な水平位置とこの水平位置から９０度回転した垂直位置とにロック機構によって選択的にロックされる。【選択図】図１
2008106524.tif 000002
【特許請求の範囲】
【請求項１】
足場を構成する際に用いられる足場板であって、
所定の方向に延びる平板状の足場板部と、
前記所定の方向を回転軸として前記足場板部を一対の支持体間に回転可能に保持する保持機構と、
前記足場板部を少なくとも水平面に対して平行な水平位置と該水平位置から９０度回転した垂直位置とに選択的にロックするロック機構とを有することを特徴とする足場板。
【請求項２】
前記支持体として既存の構造体を用いるようにしたことを特徴とする請求項１記載の足場板。
【請求項３】
足場を構成する際に用いられる足場板であって、
所定の方向に延びる平板状の足場板部と、
前記足場板部の前記所定方向の一端側に位置し鉛直方向に延び前記鉛直方向回りに回転可能な回転軸部材の周面に前記足場板部の前記所定方向の一端を取り付け、前記足場板部を前記回転軸部材を回転軸として回転可能に支持する支持機構とを有することを特徴とする足場板。
【請求項４】
前記足場板部の前記所定の方向の他端側に位置する支持体に前記足場板部の前記所定の方向の他端を着脱可能に保持する保持部材を有することを特徴とする請求項３記載の足場板。
【請求項５】
前記支持体は前記回転軸部材中心とする円弧状の軌道上を移動可能に配置されていることを特徴とする請求項４記載の足場板。
【請求項６】
足場を構成する際に用いられる足場板であって、
所定の方向に延びる平板状の足場板部と、
前記足場板部の前記所定方向の一端側に位置し鉛直方向に延び前記鉛直方向回りに回転可能な回転軸部材と前記足場板部の前記所定の方向の他端側に位置する支持体との間に前記所定の方向を回転軸として前記足場板部を回転可能に保持するとともに、前記回転軸部材の周面に前記足場板部の前記所定方向の一端を取り付け前記足場板部を前記回転軸部材を回転軸として回転可能に支持する保持機構と、
前記足場板部を少なくとも水平面に対して平行な水平位置と該水平位置から９０度回転した垂直位置とに選択的にロックするロック機構とを有することを特徴とする足場板。
【発明の詳細な説明】
【技術分野】
【０００１】
本発明は、足場を構成するための足場板に関し、特に狭隘な場所に設置可能な足場を構成する際に用いられる足場板に関するものである。
【背景技術】
【０００２】
一般に、工場等に配置された大型の機械装置を点検する際（例えば、メンテナンスを行う際）には、足場を組んで点検を行うことがある。さらに、例えば、水力発電所において水圧鉄管を点検する際においては、水圧鉄管が斜面（傾斜面）上に配設されている関係上、足場を設置して水圧鉄管の伸縮継手の点検、調査、ボルト締付け作業、及びパッキン取付作業等を行う必要がある。
【０００３】
一方、梯子に取り付けて使用される梯子取付用作業台が知られており、ここでは、作業し易い高さの梯子踏桟の下側に到着したとき、係止片を係止させて梯子取付用作業台を取り付け、回転足場板を上方に回転させ、左右の固定足場板の間を通って上方に昇って、固定足場板の上に上がり、回転足場板を下方に回転させてほぼ水平にし、この固定足場板と回転足場板の上で作業するようにしている（例えば、特許文献１参照）。
【０００４】
さらに、建築現場の仮設足場又は組立式作業台等に設けられる足場板において、昇降用開口を使用した昇降を可能とする昇降用開口付き足場板が知られており、この足場板では、開閉天板ロック装置が、開口縁部に垂直軸回りに回転自在に支持されかつ上下端部を突出させている垂直軸部と、垂直軸部の上端部に固定され垂直軸部の回転に伴って開閉天板の上方への回動を阻止するロック位置とこれを許容するアンロック位置に移動させられる係合部と、垂直軸部の下端部に固定された把手部と、垂直軸部を下方に付勢する弾性部材とを備えている（例えば、特許文献２参照）。
【特許文献１】特開平６−２５７３６１号公報
【特許文献２】特開２００１−２５４５１２号公報
【発明の開示】
【発明が解決しようとする課題】
【０００５】
ところで、工場等の屋内に設置された大型機械装置等の各種装置を点検等するため足場を組むとなると、足場設置スペースを確保しなければならないが、一般にこれら各種装置の周辺には空きスペースが少なく、つまり、足場設置スペースが狭隘であるため、各種装置の周辺に足場を組むことが難しい。さらに、足場板の搬入組み立てを考慮すると、各種装置の点検等に掛かる費用が嵩んでしまうという課題もある。
【０００６】
さらに、水力発電所の水圧鉄管は傾斜面に配置されているため、一般に足元が悪く、水平状の足場がないと、点検の際の安全面が不安となってしまう。このため、足場を設けて点検を行うことが望ましいが、水圧鉄管は狭隘な場所に設けられていることが多く、しかも道路等から離れていると、足場板等の搬入が困難となるばかりでなく、足場板の搬入・組み立てに時間、労力、及び費用が掛かってしまうという課題がある。
【０００７】
また、狭隘な場所に大掛かりな足場を設置することは難しく、また点検の都度足場を設置するのではなく、足場を常に設置した状態とすると、狭隘な場所であるゆえ、足場が歩行者の邪魔になってしまうこともある。
【０００８】
なお、前述の特許文献１に記載された作業台は梯子に用いられるものであって、狭隘な場所における点検等の作業に適しないばかりか搬入等の煩わしさがある。また、特許文献２に記載の足場は、不可避的に大がかりになってしまい、狭隘な場所には適さない。
【０００９】
従って、本発明の目的は、狭隘な場所においても簡単に足場が組め、使用しない際に邪魔になることのない足場板を提供することにある。
【００１０】
本発明の他の目的は容易に移動・設置可能な足場板を提供することにある。
【課題を解決するための手段】
【００１１】
本発明による足場板は、足場を構成する際に用いられる足場板であって、所定の方向に延びる平板状の足場板部と、前記所定の方向を回転軸として前記足場板部を一対の支持体間に回転可能に保持する保持機構と、前記足場板部を少なくとも水平面に対して平行な水平位置と該水平位置から９０度回転した垂直位置とに選択的にロックするロック機構とを有することを特徴とするものである。
【００１２】
また、本発明では前記支持体として既存の構造体を用いるようにすることが望ましい。
【００１３】
本発明による足場板は、足場を構成する際に用いられる足場板であって、所定の方向に延びる平板状の足場板部と、前記足場板部の前記所定方向の一端側に位置し鉛直方向に延び前記鉛直方向回りに回転可能な回転軸部材の周面に前記足場板部の前記所定方向の一端を取り付け、前記足場板部を前記回転軸部材を回転軸として回転可能に支持する支持機構とを有することを特徴とするものである。
【００１４】
そして、本発明では、前記足場板部の前記所定の方向の他端側に位置する支持体に前記足場板部の前記所定の方向の他端を着脱可能に保持する保持部材を有しており、前記支持体を、前記回転軸部材を中心とする円弧状の軌道上を移動可能に配置するようにしてもよい。
【００１５】
加えて、本発明による足場板は、足場を構成する際に用いられる足場板であって、所定の方向に延びる平板状の足場板部と、前記足場板部の前記所定方向の一端側に位置し鉛直方向に延び前記鉛直方向回りに回転可能な回転軸部材と前記足場板部の前記所定の方向の他端側に位置する支持体との間に前記所定の方向を回転軸として前記足場板部を回転可能に保持するとともに、前記回転軸部材の周面に前記足場板部の前記所定方向の一端を取り付け前記足場板部を前記回転軸部材を回転軸として回転可能に支持する保持機構と、前記足場板部を少なくとも水平面に対して平行な水平位置と該水平位置から９０度回転した垂直位置とに選択的にロックするロック機構とを有することを特徴とするものである。
【発明の効果】
【００１６】
以上のように、本発明によれば、支持体間に所定の方向を回転軸として回転可能に足場板部を支持し、足場板部を少なくとも水平面に対して平行な水平位置とこの水平位置から９０度回転した垂直位置に選択的にロックするようにしたので、足場板部を使用しない場合には、足場板部を垂直位置でロックするようにすればよく、その結果、狭隘な場所においても簡単に足場が組め、使用しない際に邪魔になることがないという効果があるばかりでなく、簡単に足場板の移動・設置を行うことができるという効果がある。
【００１７】
また、本発明によれば、支持体として既存の構造体を用いるようにしたので、新たに足場板を支持する支持体を設ける必要がないという効果がある。
【００１８】
本発明によれば、足場板部の所定方向の一端側に位置し鉛直方向に延び鉛直方向回りに回転可能に回転軸部材の周面に足場板部の所定方向の一端を取り付け、足場板部材を回転軸部材を回転軸として回転可能に支持するようにしたので、足場板部を水平方向に回転させれば、狭隘な場所においても足場板部設置場所を人が通過できるという効果がある。
【００１９】
本発明では、足場板部の所定の方向の他端側に位置する支持体に足場板部の所定の方向の他端を着脱可能に保持するようにしたので、足場板部を水平方向に簡単に回転でき、さらに、支持体を、回転軸体を中心とする円弧状の軌道上を移動可能に配置すれば、足場板部の位置を容易に変更できるという効果がある。
【発明を実施するための最良の形態】
【００２０】
以下、本発明の実施形態による足場板の一例について図面を参照して説明する。まず、図１を参照すると、図１は本発明の実施の形態による足場板１１を用いた足場１２の一例を示す図であり、この足場板１１は、例えば、アルミニウム製であり、その一端側が固定軸部（回転軸部材：支持体）１３に支持され、他端側が固定部１４に支持されて、足場１２が構成されている。図示の例では、足場板１１は足場板部２１を有しており、この足場板部２１は平板状の天板２１ａ及びこの天板２１ａの各辺から図中下方に延びる側板２１ｂを備えている（合計４つの側板２１ｂを備えている）。
【００２１】
天板２１ａの一短辺に対応する側板２１ｂ（以下この側板２１ｂを一側板２１ｂと呼ぶ）の中央には、後述するようにこの側板２１ｂを貫通して第１の回転軸体（第１の回転ピン：図１には示さず）が配設されている。また、天板２１ａの他端側短辺に対応する側板２１ｂ（以下この側板２１ｂを他側板２１ｂと呼ぶ）の中央にも、この側板２１ｂを貫通するようにして、第２の回転軸体（第２の回転ピン）２２が配設されており、この第２の回転軸体２２は足場板部２１から取り外し可能となっている（着脱可能となっている）。この結果、足場板部２１は第１及び第２の回転軸体を回転軸として（つまり、所定の方向を回転軸として）、固定軸部１３及び固定部１４に回転可能に支持されることになる（以下この回転を縦回転と呼ぶ）。
【００２２】
前述の一側板２１ｂ側において、天板２１ａ上には上方に突出する係止板部材２３が設けられており、この係止板部材２３には、例えば、矩形上の穴部（以下係止部材穴部と呼ぶ）が形成されている。また、固定軸部１３には係止部材穴部と同一形状の穴部（以下固定軸部穴部と呼ぶ）が形成されている。
【００２３】
この結果、断面形状が係止部材穴部及び固定軸穴部と同一の回転止めピン２４を係止部材穴部及び固定軸穴部に差し込めば、足場板部２１の回転は阻止されることになる。前述のように、係止部材穴部及び固定軸穴部が矩形形状であれば、足場板部２１は回転止めピン２４によって水平状態（水平位置）で固定されることになる。
【００２４】
また、図示はしないが、この水平状態から足場板部２１を９０度回転した位置で固定軸穴部に対応する穴部が一側板２１ｂに形成されており（以下この穴部を側板穴部と呼ぶ）、固定軸穴部及び側板穴部に回転止めピン２４を差し込めば、足場板部２１を水平状態から９０度回転した位置（垂直位置）で固定することができる。
【００２５】
ここで、図２を参照して、固定軸部１３と足場板部２１との支持構造について説明する。図２は足場板部２１を裏側から見た図であり、図２においては、前述の第１の回転軸体は符号２５で示されている。第１の回転軸体２５は軸部２５ａを有しており、図示の例では、軸部２５ａの一端（図中左端）は固定軸部１３の周面に一体的に固着されている。
【００２６】
そして、この軸部２５ａは一側板２１ｂを貫通し、軸部２５ａの他端（図中右端）側にはネジが切られ、軸部２５ａの他端にはナット２５ｂがねじ込まれている。なお、第２の回転軸体２２は、例えば、固定部１４に形成されたねじ穴にねじ込まれており（例えば、第２の回転軸体２２はボルトであり）、第２の回転軸体２２はねじ穴から取り外すことができる。
【００２７】
図２に示す例では、固定軸部１３は内心軸部１３ａを備え、この内心軸部１３ａが円筒部１３ｂに挿入され、円筒部１３ｂは内心軸部１３ａに対して回転可能となっている。そして、前述の軸部２５ａの一端が円筒部１３ｂの周面に一体的に固着されている。この結果、第２の回転軸体２２を固定部１４から取り外せば、円筒部１３ｂを内心軸部１３ａの回りに回転させると（鉛直方向回りに回転させると）、内心軸部１３ａを回転軸として足場板部２１を水平方向に回転することができる（以下この回転を横回転と呼ぶ）。
【００２８】
なお、足場板部２１を横回転させる際には、足場板部２１として、その他端部側が円弧状に形成された足場板部２１を用いることが望ましい。つまり、図１に示すように、足場板部２１として、符号“Ａ”で示すように、他端部の隅が切り取られた足場板部２１を用いることが望ましく、このような足場板部２１を用いれば、足場板部２１の横回転が阻害されることはない。
【００２９】
上述の例では、足場板部２１が縦回転及び横回転する構造について説明したが、足場板部２１を縦回転又は横回転のみする構造とするようにしてもよい。特に、足場板部２１が縦回転のみする構造においては、前述の固定軸部１３は既存の構造物（支持体：例えば、柱）を用いるようにしてもよい。そして、固定部１４についても別の既存の構造物（例えば、柱）を用いるようにしてもよい。
【００３０】
ここで、図３を参照して、前述の足場板１１の使用例について具体的に説明する。なお、図示の例は、縦回転のみの構造を有する足場板である。図示の例は、水力発電所の水圧鉄管の点検等を行うために設けられた足場であり、水圧鉄管３１は傾斜面３２に沿って配置され、水圧鉄管３１に沿ってモノレール３３が配設されるとともに、階段状の通路３４が開設されている。
【００３１】
図示の例では、水圧鉄管３１に上るための梯子３５が水圧鉄管３１に取り付けられており、ここでは、この梯子３５の一支柱が固定軸部１３として用いられている（ここでは、固定軸部１３を支柱１３と呼ぶことにする）。そして、この支柱１３から離れた位置において、固定部１４が傾斜面３２上に予め設けられている（固定部１４の天板は水平となっている）。前述のように、支柱１３には足場板部２１の一端側が第１の回転軸体２５（図３には示さず）によって回転可能に支持されており、足場板部２１の他端側は第２の回転軸体２２によって固定部１４に回転可能に支持されている。
【００３２】
なお、図示の例では、固定部１４は足場の一部を構成し、天板部１４ａとこの天板部１４ａを支持する４本の脚部１４ｂとを有しており、足場板部２１が水平状態とされた際には、足場板部２１の天板２１ａと天板部１４ａと略同一平面を規定する。
【００３３】
図３は足場板部２１が水平状態（水平位置）に固定された状態を示しており、この状態において、作業者は一旦足場板部２１の天板２１ａに乗った後、梯子３５に移り、梯子３５を登る。前述のように、水圧鉄管３１は傾斜面３２に配置されているから、この傾斜面３２から直ちに梯子３５を登ろうとすると、足場が悪いため思わぬ事故が発生することがある。特に、点検用の資材及び機材等を作業者が持っている際には、傾斜面３２から直ちに梯子３５を上ろうとすると思わぬ事故が発生する危険性が高くなる。
【００３４】
一方、一旦足場板部２１の天板２１ａに乗った後に、梯子３５に移るようにすれば、足場板部２１は水平であるから、梯子３５に移り易く、事故が発生する危険性は低減する。
【００３５】
ここで、図４を参照すると、図４は足場板部２１を水平状態から９０度回転させて、垂直位置に固定した状態を示しており、作業者は点検等の作業を終了した後には、回転止めピン２４を一旦引き抜いた後、足場板部２１を９０度回転させて、この状態で回転止めピン２４を再度差し込んで、垂直位置で足場板部２１を固定する。
【００３６】
この際には、回転止めピン２４は一側版穴部と固定軸部穴部とに挿入されることになる。なお、図示の例では、天板２１ａの裏面には立ち入り禁止等の表示が描かれており、これによって、足場板１１を使用しない状態では注意を喚起するようにしている。
【００３７】
このように、足場板部２１を水平状態から９０度回転させた垂直位置で固定すれば、図４に示すように、足場板部２１は垂直状態に維持されることになって、足場板１１を使用した後には足場板１１が邪魔になることはない。
【００３８】
続いて、工場等の屋内に設置された大型の機械装置を操作・点検する際に用いられる足場について説明する。例えば、予め大型機械装置の近傍に前述した足場板１１を設置しておく。この際、前述したように、固定軸部１３及び固定部１４を予め工場内の床面に設置して、固定軸部１３と固定部１４との間に足場板１１を支持するようにすればよい。そして、大型機械装置を操作・点検する際には、足場板部２１を水平位置として、後述するようにして足場板部２１に乗って大型機械装置の操作・点検を行うようにする。
【００３９】
そして、大型機械装置の操作・点検が終了した後には、前述したようにして、足場板部２１を水平位置から９０度縦回転させて垂直位置に固定すれば、大型機械装置の周辺が狭隘であっても、足場板部２１が邪魔になることがない。なお、工場内の既存の構造物の間に足場板１１を配置するようにすれば、固定軸部１３及び固定部１４を新規に床面に設ける必要はない。
【００４０】
ここで、屋内に設置された大型機械装置の近傍に前述の足場板１１を配置して、この足場板１１を横回転させる例について説明する。図５を参照すると、大型機械装置４１は設置台（支持フレーム）４２上に据え付けられており、大型機械装置４１を操作・点検する際には、足場板部２１に乗る必要がある。図５に示すように、工場内の床面４３には固定軸部１３が配設されるとともに第１及び第２の固定部１４が配設されている。そして、図示の例では、第１及び第２の固定部１４は固定軸部１３を中心として点対称の位置に配置されている。つまり、第１及び第２の固定部１４は１８０度の角度間隔をおいて配置されている。
【００４１】
いま、大型機械装置４１に備えられた操作パネル４１ａを操作するため、前述の横回転によって、図中実線で示す位置に足場板部２１が位置づけられる。そして、作業員４４は足場板部２１に乗って操作パネル４１ａを操作する。この際、大型機械装置４１の右側には足場板部２１は存在しないから、別の作業員４５は足場板部２１に邪魔されることなく通行することができる。
【００４２】
一方、図５において、第１の固定部１４と足場板部２１との連結を解いて、実線で示す位置から１８０度足場板部２１を横回転させ、図中破線で示す位置に足場板部２１を位置づける。そして、足場板部２１と第２の固定部１４とを連結すれば、作業員は足場板部２１に乗って大型機械装置４１の右側を点検することができる。
【００４３】
図５に示す例では、第１及び第２の固定部１４を予め１８０度の角度間隔をおいて配置する例について説明したが、この角度間隔は１８０度に限られず、種々の角度間隔において第１及び第２の固定部１４を配置するようにしてもよい。さらに、固定部１４の数は２つに限らず、複数設けるようにしてもよい。いずれにしても、固定軸部１３を中心軸として複数の固定部１４を配置しておけば、任意の水平位置に足場板部２１を位置づけることができる。
【００４４】
次に、図６を参照して、図示のように、固定部１４を軌道に沿って移動可能とするようにしてもよい。例えば、軌道として、一対の溝状のレール部５１を固定軸部１３を中心とする円周（円弧）上に敷設する。そして、固定部１４の４つの脚部１４ｂの先端にはそれぞれキャスター５２を取り付けるとともに、各キャスター５２にストッパー５３を設ける。
【００４５】
このようにすれば、キャスター５２によって固定部１４を、レール部５１上を走行させると（移動させると）、足場板部２１と固定部１４とを連結した状態で足場板部２１が回転（横回転）することになる。そして、所望の位置でストッパー５３によってキャスター５２をロックすれば、固定軸部１３を中心とする任意の位置に足場板部２１を位置づけることができる。
【００４６】
なお、前述の固定軸部１３は予め床面４３に形成した縦穴部６１に挿入して、床面４３に配設するようにしてもよい。この際には、図７（ａ）に示すように、固定軸部１３の外周面に径方向外側に突出するフランジ部６２を形成しておくことが望ましい。このように、フランジ部６２を形成しておけば、固定軸部１３を縦穴部６１に挿入した際、フランジ部６２が床面４３に当接することになって、このフランジ部６２によって固定軸部１３のフラツキが阻止される結果、固定軸部１３がぐらつくことがない。
【００４７】
そして、足場板１１を使用しない場合には、足場板部２１と固定軸部１３との連結を解く（つまり、ナット２５ｂ（図７には示さず）を取り外す）とともに、固定部１４と足場板部２１との連結を解いて、図７（ｂ）に示すように、縦穴部６１から固定軸部１３を引き抜いて、足場板１１と固定軸部１３とを片付けるようにすればよい。
【００４８】
なお、以上の説明から明らかなように、上述の実施の形態では、第１及び第２の回転軸体２２及び２２が所定の方向（長手方向）を回転軸として足場板部２１を固定軸部１３及び固定部１４間に回転可能に保持する保持機構として機能し、係止板部材２３及び回転止めピン２４が足場板部２１を少なくとも水平面に対して平行な水平位置とこの水平位置から９０度回転した垂直位置とに選択的にロックするロック機構として機能することになる。
【００４９】
また、固定軸部１３が足場板部２１の長手方向の一端側に位置し鉛直方向に延びる回転軸体であり、第１の回転軸体２５によって足場板部２１の一端が円筒部１３ｂの周面に取り付けられて、足場板部を固定軸部１３を回転軸として回転可能に支持する。
【図面の簡単な説明】
【００５０】
【図１】本発明の実施の形態による足場板の一例を用いた足場を示す斜視図である。
【図２】図１に示す足場板と固定軸部との支持構造を説明するための図である。
【図３】本発明の実施の形態による足場板を用いた足場を傾斜面に設置した例において足場板を使用する状態で示す斜視図である。
【図４】図３に示す例において、足場板を収納した状態を示す斜視図である。
【図５】本発明の実施の形態による足場板を用いた足場を屋内の大型機械装置の近傍に配置した状態を示す図である。
【図６】本発明の実施の形態による足場板を用いた足場において、固定部がレール上を移動可能な例を示す図である。
【図７】本発明の実施の形態による足場板を用いた足場において、固定軸部が床面に形成した縦穴部に配置される例を示す図であり、（ａ）は固定軸部を縦穴部に配置した状態を示す図、（ｂ）は固定軸部を縦穴部から引き抜いた状態を示す図である。
【符号の説明】
【００５１】
１１  足場板
１２  足場
１３  固定軸部
１４  固定部
２１  足場板部
２１ａ  天板
２１ｂ  側板
２２，２５  回転軸体
２３  係止板部材
２４  回転止めピン
１３ａ  内心軸部
１３ｂ  円筒部
【図１】
2008106524.tif 000003
【図２】
2008106524.tif 000004
【図３】
2008106524.tif 000005
【図４】
2008106524.tif 000006
【図５】
2008106524.tif 000007
【図６】
2008106524.tif 000008
【図７】
2008106524.tif 000009